(57)【要約】【課題】  センサ類や動力等の無い簡単な機構で、空きペットボトル９１を、空き缶（スチール缶９５，アルミ缶９６）から分別できるようにする。【解決手段】  横向きで落下するペットボトル９１の口部が当接し且つ本体部側は非当接となる上端部を備え、当該ペットボトル９１の軸芯方向と上面視で直交方向へ向けて下り傾斜で延設された第１傾斜路１と、第１傾斜路１の側縁１１から外れて落下するペットボトル９１が当接するべき位置に上端部が設けられ、第１傾斜路１と反対方向へ向けて下り傾斜で延設された第２傾斜路２とを有し、第２傾斜路２の上端部の縁２０は、該縁２０に当接したペットボトル９１が、該縁２０を越えて跳ね返される位置に設けられているペットボトル分別装置。【選択図】  図１
2020069410.tif 000002
【特許請求の範囲】
【請求項１】
投入されたペットボトルを横向きで落下させる受入部と、
前記受入部から落下するペットボトルの口部が当接し且つ当該ペットボトルの本体部側は非当接となる上端部を備え、当該ペットボトルの軸芯方向と上面視で交叉方向へ向けて下り傾斜で延設された第１傾斜路と、
前記第１傾斜路の側縁から外れて落下するペットボトルが当接するべき位置に上端部が設けられ、前記第１傾斜路と反対方向へ向けて下り傾斜で延設された第２傾斜路と、
を有し、
前記第２傾斜路の上端部の縁は、当該上端部又はその縁に当接したペットボトルが、当該上端部の縁を越えて反第２傾斜路側へ跳ね返される位置に設けられている、
ことを特徴とするペットボトル分別装置。
【請求項２】
請求項１に於いて、
前記第１傾斜路は、前記ペットボトルの軸芯方向と上面視で直交方向へ向けて下り傾斜で延設されている、
ことを特徴とするペットボトル分別装置。
【請求項３】
投入されたペットボトルを横向きで落下させる受入部と、
前記受入部から落下するペットボトルの口部を傾斜面で受けることにより転動させるとともに本体部は受けずに落下させるように設けられた第１傾斜路と、
前記第１傾斜路の傾斜面の反対方向へ下る傾斜面を成すように延設され、前記第１傾斜路の側縁から外れて落下するペットボトルを、上記反対方向へ下る傾斜面の上端部又はその縁で跳ね返すことにより、該上端部の縁を越えて落下させる第２傾斜路と、
を有することを特徴とするペットボトル分別装置。
【請求項４】
請求項１〜請求項３の何れかに於いて、
前記第１傾斜路及び第２傾斜路は、前記第１傾斜路の側縁から外れて落下するペットボトルが、前記第２傾斜路の上端部の縁に、当該ペットボトルの重心位置より底部側で当接するように設けられている、
ことを特徴とするペットボトル分別装置。
【請求項５】
請求項１〜請求項４の何れかに於いて、さらに、
前記受入部は、所定の受入口から投入されたペットボトルを横向きとし、且つ、当該ペットボトルの口部が前記第１傾斜路へ落下するように規制する規制手段、
を有することを特徴とするペットボトル分別装置。
【発明の詳細な説明】
【技術分野】
【０００１】
本発明は、使用済みのペットボトルを、センサ類や動力等を用いない簡単な機構で、空き缶（アルミ缶，スチール缶）から分別できるようにした分別装置に関する。
【背景技術】
【０００２】
飲料用の容器として、ペットボトル、スチール缶、アルミ缶等が用いられている。それらの容器をリサイクルするためには、まず、それらを分別する必要がある。
使用済みのペットボトルと、空き缶（スチール缶、アルミ缶）とを分別するペットボトル分別装置が、特許第６１６３６２６号公報（特許文献１）に記載されている。
【０００３】
特許文献１に記載のペットボトル分別装置では、ペットボトルが落下される下方位置にロッド（一時掛止手段の掛止部）２０を設けており、該ロッド２０に、ペットボトルの口部付近を一時的に掛止した後に離脱させることにより回転させ、その回転を利用して、ペットボトルを、アルミ缶やスチール缶とは異なる方向へ落下させて分別を行っている。ここで、上記ロッドの符号「２０」は、特許文献１内の符号である。
【先行技術文献】
【特許文献】
【０００４】
【特許文献１】特許第６１６３６２６号公報
【発明の概要】
【発明が解決しようとする課題】
【０００５】
本発明は、空きペットボトルを空き缶（アルミ缶やスチール缶）から低コストで分別できる装置、つまり、センサ類や動力を用いない簡単な機構で分別できる装置であって、分別機構要部の微妙な調整が不要な、頑丈な装置を提供することを目的とする。
即ち、特許文献１では、ロッド２０によりペットボトルの口部付近を一時掛止した後に離脱させることにより回転させ、それにより、空き缶とは異なる方向へ落下させているのであるが、ロッド２０は、長期間（例：１年間程度）の多数回の使用により劣化もしくは変形等して、当初の分別精度を維持できなくなる場合がある。また、分別精度を維持させようとすると、微妙な調整が必要になる場合がある。
本発明は、このような事情にも鑑みたものであり、センサ類や動力を用いない簡単な機構で分別できる装置であって、分別機構要部の調整が不要な、頑丈な装置を提供することを目的とする。
【課題を解決するための手段】
【０００６】
本発明の構成を、下記［１］〜［５］に記す。なお、この項（［課題を解決するための手段］）と次項（［発明の効果］）に於いて、符号や図番号は理解を容易にするために付したものであり、本発明を符号の構成に限定する趣旨ではない。
【０００７】
［１］構成１
投入されたペットボトル９１を横向きで落下させる受入部と、
前記受入部から落下するペットボトル９１の口部９１ｂが当接し且つ当該ペットボトル９１の本体部９１ａ側は非当接となる上端部を備え、当該ペットボトル９１の軸芯方向と上面視で交叉方向へ向けて下り傾斜で延設された第１傾斜路１と、
前記第１傾斜路１の側縁１１から外れて落下するペットボトル９１が当接するべき位置に上端部が設けられ、前記第１傾斜路１と反対方向へ向けて下り傾斜で延設された第２傾斜路２と、
を有し、
前記第２傾斜路２の上端部の縁２０は、当該上端部又はその縁２０に当接したペットボトル９１が、当該上端部の縁２０を越えて反第２傾斜路側へ跳ね返される位置に設けられている、
ことを特徴とするペットボトル分別装置。
［２］構成２
構成１に於いて、
前記第１傾斜路１は、前記ペットボトル９１の軸芯方向と上面視で直交方向へ向けて下り傾斜で延設されている、
ことを特徴とするペットボトル分別装置。
【０００８】
［３］構成３
投入されたペットボトル９１を横向きで落下させる受入部と、
前記受入部から落下するペットボトル９１の口部９１ｂを傾斜面で受けることにより転動させるとともに本体部９１ａは受けずに落下させるように設けられた第１傾斜路１と、
前記第１傾斜路１の傾斜面の反対方向へ下る傾斜面を成すように延設され、前記第１傾斜路１の側縁１１から外れて落下するペットボトル９１を、上記反対方向へ下る傾斜面の上端部又はその縁２０で跳ね返すことにより、該上端部の縁２０を越えて落下させる第２傾斜路２と、
を有することを特徴とするペットボトル分別装置。
【０００９】
［４］構成４
構成１〜構成３の何れかに於いて、
前記第１傾斜路１及び第２傾斜路２は、前記第１傾斜路１の側縁１１から外れて落下するペットボトル９１が、前記第２傾斜路２の上端部の縁２０に、当該ペットボトル９１の重心位置Ｇより底部側で当接するように設けられている、
ことを特徴とするペットボトル分別装置。
［５］構成５
構成１〜構成４の何れかに於いて、さらに、
前記受入部は、所定の受入口から投入されたペットボトル９１を横向きとし、且つ、当該ペットボトル９１の口部０１ｂが前記第１傾斜路１へ落下するように規制する規制手段３６（３６０，３６１〜３６３，３６５）、
を有することを特徴とするペットボトル分別装置。
【発明の効果】
【００１０】
構成１は、投入されたペットボトル９１を横向きで落下させる受入部と、前記受入部から落下するペットボトル９１の口部９１ｂが当接し且つ当該ペットボトル９１の本体部９１ａ側は非当接となる上端部を備え、当該ペットボトル９１の軸芯方向と上面視で交叉方向へ向けて下り傾斜で延設された第１傾斜路１と、前記第１傾斜路１の側縁１１から外れて落下するペットボトル９１が当接するべき位置に上端部が設けられ、前記第１傾斜路１と反対方向へ向けて下り傾斜で延設された第２傾斜路２とを有し、前記第２傾斜路２の上端部の縁２０は、当該上端部又はその縁２０に当接したペットボトル９１が、当該上端部の縁２０を越えて反第２傾斜路側へ跳ね返される位置に設けられていることを特徴とするペットボトル分別装置であるため、センサ類や動力を用いることなく、低コストで、空きペットボトルを空き缶（アルミ缶やスチール缶）から分別できる。また、分別を、第２傾斜路２の上端部又はその縁でペットボトルを跳ね返すことによって行うため、長期間・多数回使用しても、当初の分別精度を維持することができる。
構成２は、構成１に於いて、前記第１傾斜路１は、前記ペットボトル９１の軸芯方向と上面視で直交方向へ向けて下り傾斜で延設されていることを特徴とするペットボトル分別装置であるため、良好な性能を有する分別装置の具体的な構成を提供できる。
構成３は、投入されたペットボトル９１を横向きで落下させる受入部と、前記受入部から落下するペットボトル９１の口部９１ｂを傾斜面で受けることにより転動させるとともに本体部９１ａは受けずに落下させるように設けられた第１傾斜路１と、前記第１傾斜路１の傾斜面の反対方向へ下る傾斜面を成すように延設され、前記第１傾斜路１の側縁１１から外れて落下するペットボトル９１を、上記反対方向へ下る傾斜面の上端部又はその縁２０で跳ね返すことにより、該上端部の縁２０を越えて落下させる第２傾斜路２とを有することを特徴とするペットボトル分別装置であるため、構成１と同様の作用効果を奏することができる。
構成４は、構成１〜構成３の何れかに於いて、前記第１傾斜路１及び第２傾斜路２は、前記第１傾斜路１の側縁１１から外れて落下するペットボトル９１が、前記第２傾斜路２の上端部の縁２０に、当該ペットボトル９１の重心位置Ｇより底部側で当接するように設けられていることを特徴とするペットボトル分別装置であるため、ペットボトル９１を確実に前記第２傾斜路２の上端部の縁２０を越えて落下させることができ、より確実に構成１〜３の作用効果を奏することができる。
構成５は、構成１〜構成４の何れかに於いて、さらに、前記受入部は、所定の受入口から投入されたペットボトル９１を横向きとし、且つ、当該ペットボトル９１の口部０１ｂが前記第１傾斜路１へ落下するように規制する規制手段３６（３６０，３６１〜３６３，３６５）を有することを特徴とするペットボトル分別装置であるため、ペットボトル９１の口部９１ｂを確実に第１傾斜路１の傾斜面上に落下させることができ、さらに、より確実に構成１〜４の作用効果を奏することができる。
【図面の簡単な説明】
【００１１】
【図１】実施の形態のペットボトル分別装置を備えた飲料容器回収箱を模式的に示し、（Ａ）は上面図、（Ｂ）は（Ｃ）内矢視１Ｂで見た側面透視図、（Ｃ）は（Ａ）内矢視１Ｃで見た正面透視（一部切断端面）図。
【図２】図１の飲料容器回収箱の原理を説明する模式図。（Ａ１）（Ａ２）はペットボトルを投入した場合の動作を示し、（Ａ１）は上面図、（Ａ２）は（Ａ１）内矢視２Ａ２で見た正面透視（一部切断端面）図。（Ｂ１）（Ｂ２）はスチール缶／アルミ缶を投入した場合の動作を示し、（Ｂ１）は上面図、（Ｂ２）は（Ｂ１）内矢視２Ｂ２で見た正面透視（一部切断端面）図。
【図３】図１の飲料容器回収箱の要部を説明する模式図。（Ａ）は容器投入口付近を示す上面図、（Ｂ）は正面透視（一部切断端面）図、（Ｃ）は右側面から見た切断端面図。何れもペットボトルを投入した場合を示す。
【図４】（Ａ１）（Ａ２）はペットボトルを投入すべき位置を模式的に示し、（Ａ１）は上面図、（Ａ２）は正面から見た切断端面図。（Ｂ）はペットボトルが適切な投入位置に到達するように規制する機構の一例を模式的に示す説明図。
【図５】（Ａ１）（Ａ２）は投入されたペットボトルの運動を模式的に示し、（Ａ１）は上面図、（Ａ２）は正面透視（一部切断端面）図。（Ｂ１）（Ｂ２）はペットボトルが第２傾斜路２の上端部の縁２０を越えて反第２傾斜路側（第２傾斜路２の反対側）へ跳ね返される様子を示す模式図であり、（Ｂ１）は上面図、（Ｂ２）は正面透視図。
【発明を実施するための形態】
【００１２】
図面を参照して、本発明の実施の形態を説明する。
（１）飲料容器回収箱
図１（Ａ）（Ｂ）（Ｃ）は、それぞれ、実施の形態のペットボトル分別装置を備えた飲料容器回収箱の上面視、矢視１Ｂ（（Ｃ）内）からの左側面視、矢視１Ｃ（（Ａ）内）からの正面視を示す模式図である。図示の飲料容器回収箱は、直方体形状の箱体３内に、第１傾斜路１、第２傾斜路２、ペットボトル回収箱５１、スチール缶回収箱５２、アルミ缶回収箱５３、ガイド板４、を配して成る。
【００１３】
プラスチック製の箱体３は、天板３１、側板３２ａ〜３２ｄ（前方側板３２ａ、後方側板３２ｂ、手前側板３２ｃ、奥側板３２ｄ）、及び、底板３３から成る。
【００１４】
天板３１には、空き容器の投入孔３１０が開口されており、その外形は、ペットボトルを横置きしたときの形状が模られている。即ち、長方形状の一方の短辺（図１（Ａ）で下方側＝第１傾斜路１寄りの短辺）の中央位置に、ペットボトル９１の口部９１ｂ（図２参照）に対応する投入孔キャップ部３１１が、外方へ突出するように設けられている。投入孔３１０（及び投入孔キャップ部３１１）のサイズとしては、この例では、標準的なサイズのペットボトル（５００ｃｃ容器；自動販売機用に多く扱われているサイズ）を模ったサイズが採用されている。
【００１５】
手前側の側板３２ｃには、下部に開閉可能な扉が設けられている。図１（Ｃ）中、一点鎖線３２０ｃで示す位置が、扉の上縁を示す。この扉を開くことで、箱体３内に図示のように配されているペットボトル回収箱５１、スチール缶回収箱５２、アルミ缶回収箱５３を、手前へ引き出すことが可能である。
【００１６】
投入孔キャップ部３１１の下方で、且つ、投入孔３１０の下方から外れた位置には、第１傾斜路１が、前方（図１（Ａ）（Ｂ）での左方；以下、「前方」「後方」として同じ定義を用いる。）へ下る傾斜で設けられている。第１傾斜路１の延設方向は、上面視で、投入孔３１０の長辺方向と直交する方向である。なお、投入されたペットボトル９１の口部９１ｂ（図２（Ｃ）参照）を受けて傾斜面上を転動させ得る方向であれば、必ずしも直交方向でなくてもよい。即ち、交叉方向であってもよい。
【００１７】
また、投入孔３１０の下方で、且つ、第１傾斜路１の下端部より低い位置には、第２傾斜路２が、第１傾斜路１とは反対の方向（後方）へ下る傾斜で設けられている。この第２傾斜路２の下端部の下面には磁石２１が設けられており、下端部の縁からは樹脂シート片２５が下垂されている。この樹脂シート片２５は、両矢印ａのように揺動自在である。
【００１８】
また、第２傾斜路２の上方で、且つ、投入孔３１０の後方側の下方となる位置には、ガイド板４が、第２傾斜路２の傾斜面と所定の間隔（第２傾斜路２の傾斜面を転がる空き缶が支障なく通過できる間隔）を空けて、垂直に設けられている。このガイド板４の板面の方向は、上面視で、第２傾斜路２の延設方向と直交する方向である。
【００１９】
これら、第１傾斜路１、第２傾斜路２、ガイド板４として、本例では、プラスチック板を用いている。また、これら、第１傾斜路１、第２傾斜路２、ガイド板４を、箱体３内で上述の如く設ける支持構造としては、投入孔３１０から投入されるペットボトル９１、スチール缶９５、アルミ缶９６の分別動作（原理は後述）を妨げない構造であれば、任意である。本例では、第１傾斜路１は手前側板３２ｃにより支持し、第２傾斜路２は奥側板３２ｄにより支持し、ガイド板４は天板３１により支持しているが、前方側板３２ａ、後方側板３２ｂ、底板３３等による支持に切り換え、又は、併用してもよい。
【００２０】
（２）ペットボトル９１の分別原理
図２（Ａ１）（Ａ２）は、それぞれ、ペットボトル９１の分別原理を模式的に示す上面図、矢視２Ａ２（（Ａ１）内）で見た正面透視（一部端面）図である。また、図２（Ｃ）は、（Ａ１）（Ａ２）内や後述の図５でのペットボトル９１の動作を説明するために用いる簡略化図の説明図である。
【００２１】
ペットボトル９１は、天板３１の投入孔３１０から、図２（Ａ１）の如く、ペットボトル９１の口部９１ｂ（図２（Ｃ）参照）が投入孔キャップ部３１１（図１（Ａ）参照）に位置された状態で、投入される。
投入されたペットボトル９１は、図２（Ａ１）（Ａ２）に２点鎖線で示すように移動する。即ち、口部９１ｂは、第１傾斜路１の上端部に当接して、該第１傾斜路１の傾斜面上を転動する。一方、本体部９１ａ（図２（Ｃ）参照）は、第１傾斜路１によって受けられず、また、第２傾斜路２によっても受けられないため、落下する。このように、口部９１ｂが第１傾斜路１上を転動するとともに、本体部９１ａが落下しつつ口部９１ｂを引く結果、ペットボトル９１は、ついには、口部９１ｂが第１傾斜路１の側縁１１から外れて支えを失い、図２（Ａ１）の如く回転しつつ、図２（Ａ２）の如く落下状態となる。
【００２２】
こうして、支えを失って落下するペットボトル９１は、その本体部９１ａが、第２傾斜路２の上端部又はその縁２０に当接して跳ね返され、その結果、上端部の縁２０を越えた側、つまり、第２傾斜路２の傾斜面とは反対の側（反第２傾斜路側）へ落下し、その下方位置に設けられているペットボトル回収箱５１（図１（Ｃ））内に収容される。
【００２３】
図５（Ａ１）（Ａ２）に、図２（Ａ１）（Ａ２）の要部を拡大して示す。
上述のように、第１傾斜路１の側縁１１から外れて回転しつつ落下するペットボトル９１が、第２傾斜路２の上端縁２０を越えて反第２傾斜路側へ落下するためには、ペットボトル９１が第２傾斜路２の上端部又はその縁２０に当接するときに、ペットボトル９１の本体部９１ａ側の適切な部位が、適切な方向・衝突速度で、且つ、適切な衝突角度で、第２傾斜路２の上端部又はその縁２０に当接する必要がある。
【００２４】
そのためには、
（イ）投入孔３１０から横向き（水平状態）で落下するペットボトル９１の口部９１ｂが、適切な衝突速度で、第１傾斜路１の上端部に当接する必要がある。換言すれば、投入孔３１０や投入孔キャップ部３１１と、第１傾斜路１の上端部との高さ方向の距離（両者間の高低差）ｕを、適切に設定する必要がある。
また、
（ロ）第１傾斜路１の上端部に当接したペットボトルの口部９１ｂが、適切な速度で、第１傾斜路１の傾斜面上を転動する必要がある。換言すれば、第１傾斜路１の傾斜角ｗ等を、適切に設定する必要がある。
また、
（ハ）第１傾斜路１の傾斜面上を転動するペットボトルの口部９１ｂが、適切なタイミング・位置で第１傾斜路１の側縁１１から外れる必要がある。換言すれば、第１傾斜路１の傾斜角ｗ等を、適切に設定する必要がある。
さらに、
（ニ）第１傾斜路１の側縁１１から外れたペットボトルが回転しつつ落下して、ペットボトル９１の本体部９１ａ側の適切な部位が、適切な方向・衝突速度・衝突角度で、第２傾斜路２の上端部又はその縁２０に当接する必要がある。換言すれば、第１傾斜路１の側縁１１を外れる位置と、第２傾斜路２の上端部またはその縁２０との間の高さ方向の距離（両者間の高低差）等を、適切に設定する必要がある。なお、第１傾斜路１の側縁１１を外れる位置−第２傾斜路２の上端部又はその縁２０間の高低差を適切に設定することに代えて、第１傾斜路１の傾斜角ｗを適切に設定するとともに第１傾斜路１の下端縁−第２傾斜路２の上端縁２０間の高低差ｖを適切に設定するようにしてもよい。
【００２５】
発明者は、試行錯誤して、これらを調整した結果、５００ｃｃサイズのペットボトルに関し、１００回の試行中、１００回とも、第２傾斜路２の上端縁２０を越えて反第２傾斜路側へ落下させることができた。即ち、投入孔３１０や投入孔キャップ部３１１−第１傾斜路１の上端部間の高低差ｕ、第１傾斜路１の傾斜角ｗ、第１傾斜路１の下端縁−第２傾斜路２の上端縁２０間の高低差ｖを、試行錯誤して適宜に調整・設定することにより、１００％の精度を達成することができた。また、この精度は、３５０ｃｃサイズのペットボトルでも、同様に得ることができた。
【００２６】
図５（Ｂ１）（Ｂ２）に、ペットボトル９１が、第２傾斜路２の上端部又はその縁２０に当接する場合の一例を図解する。
実線で示すペットボトル９１（１）は、本体部９１ａの側面部が第２傾斜路２の上端縁２０に当接する場合であり、当接時、その重心Ｇは、第２傾斜路２の上端縁２０を越えた側に位置する。この場合、ペットボトルは、第２傾斜路２の上端部の縁２０を越えて、確実に、反第２傾斜路側へ落下する。
【００２７】
破線で示すペットボトル９１（２）は、本体部９１ａの底面部の周縁の一部位が、第２傾斜路２の上端部に当接する場合で、且つ、当接時、ペットボトル９１（２）の軸芯が前方側（図で左方側）へ傾斜している場合である。上面視（図５（Ｂ１））で、重心Ｇの位置は、若干、第２傾斜路２の上端縁２０よりも後方側（傾斜面側；図で右方側）へ入り込んでいるが、この場合も、ペットボトルは、第２傾斜路２の上端部の縁２０を越えて、反第２傾斜路側へ落下し得る。なお、当接時のペットボトルの前方側への傾斜度合や、重心Ｇが上端縁２０の後方側に入り込む度合によっては、上端縁２０を越えられず、第２傾斜路２の傾斜面側に止まってしまう場合も生じ得る。
【００２８】
以上より理解されるように、投入孔３１０や投入孔キャップ部３１１−第１傾斜路１の上端部間の高低差ｕ、第１傾斜路１の傾斜角ｗ、第１傾斜路１の下端縁−第２傾斜路２の上端縁２０間の高低差ｖ等を適切に調整・設定することにより、投入孔キャップ部３１１に口部９１ｂが位置するようにして投入孔３１０に投入されるペットボトル９１を、第２傾斜路２の上端縁２０を越えて反第２傾斜路側へ落下させることができる。
【００２９】
（３）分別精度の向上
上述のように、第１傾斜路１と第２傾斜路２を用いることによりペットボトルを分別することは可能であるが、そのためには、ペットボトル９１の口部９１ｂが、第１傾斜路１の上端部の適切な位置に、適切な姿勢で、当接される必要がある。
【００３０】
図３（Ａ）〜（Ｃ）は、投入者が、ペットボトル９１の口部９１ｂを投入孔キャップ部３１１に位置させることを前提として、ペットボトル９１を、第１傾斜路１の上端部の適切な位置に、適切な姿勢（横向き＝水平状態）で、落下させる構成の一例を示す。
【００３１】
図示のように、投入孔３１０の長辺部には、両側から、軟質樹脂製のガイドシート３６０が垂れ下げられている。投入されたペットボトル９１は、このガイドシート３６０に案内されて、投入孔３１０の両長辺間での中央位置から水平状態で落下し、（Ｂ）（Ｃ）の如く、第１傾斜路１の上端部の適切な位置に、適切な姿勢で、口部９１ｂが当接する。
【００３２】
図４（Ｂ）は、投入者が、ペットボトル９１を、どのように投入孔（任意形状の不図示の投入孔；ペットボトル形状を模っていなくてもよい）に投入するかにかかわりなく、確実に、ペットボトル９１の口部９１ｂを、投入孔キャップ部３１１（図４（Ａ１）等）に位置させる構成の一例を示す。
【００３３】
所定の投入孔（不図示）に投入され、所定のガイド機構（不図示）に案内されたペットボトル９１は、導斜路３６１に至り、口部９１ｂを先に向けて導斜路３６１上を滑り、当接板３６２に当接した後、導板３６３にガイドされて落下し、投入孔３１０に至る。
当接板３６２への当接時、ペットボトル９１の口部９１ｂは、当接板３６２の導キャップ孔３６５に突入する。このため、ペットボトル９１が落下して投入孔３１０に至った時には、その口部９１ｂは、投入孔キャップ部３１１に位置することとなる。
【００３４】
（４）空き缶（アルミ缶・スチール缶）の挙動
図２（Ｂ１）（Ｂ２）は、それぞれ、スチール缶９５／アルミ缶９６の分別原理を模式的に示す上面図、矢視２Ｂ２（（Ｂ１）内）で見た正面透視（一部端面）図である。
スチール缶９５／アルミ缶９６は、天板３１の投入孔３１０に、図２（Ｂ１）の如く投入される。同図では、空き缶９５／９６は、投入孔３１０内で手前側（図２（Ｂ１）で下側）の短辺寄りに在るが、必ずしも手前側の短辺寄りでなくてもよい。投入孔３１０内の任意の位置に投入されてよい。
【００３５】
投入された空き缶９５／９６は、第１傾斜路１ではなく、第２傾斜路２の上端部に当接して、図２（Ｂ１）（Ｂ２）に２点鎖線で示すように、第２傾斜路２上を転動する。
投入孔３１０−第２傾斜路２の上端部間の高低差が大きいため、第２傾斜路２への当接時の衝撃で、移動開始初期、空き缶９５／９６は若干跳ねるが、図２（Ｂ２）の如くガイド板４により制止されて、再び第２傾斜路２に静かに当接し、以後、第２傾斜路２上を転動して、その下端部に至る。
【００３６】
第２傾斜路２の下端部には、スチール缶／アルミ缶の分別機構（第２傾斜路２の裏面側の磁石２１・第２傾斜路２の下端縁から下垂された樹脂シート片２５）が、図示のように設けられている。これにより、スチール缶９５は、磁石２１に引きつけられ、しかし、樹脂シート片２５の作用で磁石２１に吸着されることはなく、樹脂シート片２５を押し退けつつ、スチール缶収容箱５２（図１（Ｃ））内に収容される。
なお、アルミ缶９６は、磁石２１に引きつけられることなく転動した後、そのまま落下して、アルミ缶収容箱５３（図１（Ｃ））内に収容される。
なお、このように磁石や樹脂シート片を用いた構成・作用については、本願発明者・出願人の姉の特許である「特許第５７９２８８１号」にて詳述しており、また、本願発明の要旨でもないため、これ以上の説明は割愛する。
【００３７】
以上のように、本実施の形態では、第１傾斜路１でペットボトル９１の口部９１ｂを転動させるとともに、第２傾斜路２の上端部又はその縁２０でペットボトル９１の本体部９１ａ側を跳ね返すことにより、ペットボトル９１を、第２傾斜路２の上端縁２０を越えて反第２傾斜路側へ落下させ、それにより、ペットボトル９１を分別している。
分別に際して、ロッドではなく、頑丈な板材である第２傾斜路２の上端部又はその縁２０で跳ね返しているため、十分な耐久性がある。
【符号の説明】
【００３８】
１  第１傾斜路
１１  第１傾斜路の側縁
２  第２傾斜路
２０  第２傾斜路の上端部の縁（上端縁）
２１  磁石
２５  樹脂シート片
３  箱体
３１  天板
３１０  投入孔
３１１  投入孔キャップ部
３２ａ  前方側板
３２ｂ  後方側板
３２ｃ  手前側板
３２０ｃ  開き戸線
３２ｄ  奥側板
３３  底板
３６  規制手段
３６０  ガイドシート
３６１  導斜路
３６２  当接板
３６３  導板
３６５  導キャップ孔
４  ガイド板
５１  ペットボトル収容箱
５２  スチール缶収容箱
５３  アルミ缶収容箱
９１  ペットボトル
９１ａ  ペットボトルの本体部
９１ｂ  ペットボトルの口部
９５  スチール缶
９６  アルミ缶
【図１】
2020069410.tif 000003
【図２】
2020069410.tif 000004
【図３】
2020069410.tif 000005
【図４】
2020069410.tif 000006
【図５】
2020069410.tif 000007
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
投入されたペットボトルを横向きで落下させる受入部と、  前記受入部から落下するペットボトルの口部が当接し且つ当該ペットボトルの本体部側は非当接となる上端部を備え、当該ペットボトルの軸芯方向と上面視で交叉方向へ向けて下り傾斜で延設された第１傾斜路と、 前記受入部から落下するペットボトルの口部が前記第１傾斜路に当接する時に当該ペットボトルの本体部は当接しない高さに前記受入部直下の部位が位置するとともに、前記第１傾斜路の側縁から外れて落下するペットボトルが当接するべき位置に上端部が設けられ、前記第１傾斜路と反対方向へ向けて下り傾斜で延設された第２傾斜路と、  を有し、  前記第２傾斜路の上端部の縁は、当該上端部又はその縁に当接したペットボトルが、当該上端部の縁を越えて反第２傾斜路側へ跳ね返される位置に設けられている、  ことを特徴とするペットボトル分別装置。
【請求項２】
請求項１に於いて、  前記第１傾斜路は、前記ペットボトルの軸芯方向と上面視で直交方向へ向けて下り傾斜で延設されている、  ことを特徴とするペットボトル分別装置。
【請求項３】
投入されたペットボトルを横向きで落下させる受入部と、  前記受入部から落下するペットボトルの口部を傾斜面で受けることにより転動させるとともに本体部は受けずに落下させるように設けられた第１傾斜路と、 前記受入部から落下するペットボトルの口部が前記第１傾斜路に当接する時に当該ペットボトルの本体部は当接しない高さに前記受入部直下の部位が位置するとともに、前記第１傾斜路の傾斜面の反対方向へ下る傾斜面を成すように延設され、前記第１傾斜路の側縁から外れて落下するペットボトルを、上記反対方向へ下る傾斜面の上端部又はその縁で跳ね返すことにより、該上端部の縁を越えて落下させる第２傾斜路と、  を有することを特徴とするペットボトル分別装置。
【請求項４】
請求項１〜請求項３の何れかに於いて、  前記第１傾斜路及び第２傾斜路は、前記第１傾斜路の側縁から外れて落下するペットボトルが、前記第２傾斜路の上端部の縁に、当該ペットボトルの重心位置より底部側で当接するように設けられている、  ことを特徴とするペットボトル分別装置。
【請求項５】
請求項１〜請求項４の何れかに於いて、さらに、  前記受入部は、所定の受入口から投入されたペットボトルを横向きとし、且つ、当該ペットボトルの口部が前記第１傾斜路へ落下するように規制する規制手段、  を有することを特徴とするペットボトル分別装置。 
【手続補正２】
【補正対象書類名】明細書
【補正対象項目名】０００７
【補正方法】変更
【補正の内容】
【０００７】［１］構成１  投入されたペットボトル９１を横向きで落下させる受入部と、  前記受入部から落下するペットボトル９１の口部９１ｂが当接し且つ当該ペットボトル９１の本体部９１ａ側は非当接となる上端部を備え、当該ペットボトル９１の軸芯方向と上面視で交叉方向へ向けて下り傾斜で延設された第１傾斜路１と、 前記受入部から落下するペットボトル９１の口部９１ｂが前記第１傾斜路１に当接する時に当該ペットボトル９１の本体部９１ａは当接しない高さに前記受入部直下の部位が位置するとともに、前記第１傾斜路１の側縁１１から外れて落下するペットボトル９１が当接するべき位置に上端部が設けられ、前記第１傾斜路１と反対方向へ向けて下り傾斜で延設された第２傾斜路２と、  を有し、  前記第２傾斜路２の上端部の縁２０は、当該上端部又はその縁２０に当接したペットボトル９１が、当該上端部の縁２０を越えて反第２傾斜路側へ跳ね返される位置に設けられている、  ことを特徴とするペットボトル分別装置。［２］構成２  構成１に於いて、  前記第１傾斜路１は、前記ペットボトル９１の軸芯方向と上面視で直交方向へ向けて下り傾斜で延設されている、  ことを特徴とするペットボトル分別装置。
【手続補正３】
【補正対象書類名】明細書
【補正対象項目名】０００８
【補正方法】変更
【補正の内容】
【０００８】［３］構成３  投入されたペットボトル９１を横向きで落下させる受入部と、  前記受入部から落下するペットボトル９１の口部９１ｂを傾斜面で受けることにより転動させるとともに本体部９１ａは受けずに落下させるように設けられた第１傾斜路１と、 前記受入部から落下するペットボトル９１の口部９１ｂが前記第１傾斜路１に当接する時に当該ペットボトル９１の本体部９１ａは当接しない高さに前記受入部直下の部位が位置するとともに、前記第１傾斜路１の傾斜面の反対方向へ下る傾斜面を成すように延設され、前記第１傾斜路１の側縁１１から外れて落下するペットボトル９１を、上記反対方向へ下る傾斜面の上端部又はその縁２０で跳ね返すことにより、該上端部の縁２０を越えて落下させる第２傾斜路２と、  を有することを特徴とするペットボトル分別装置。
【手続補正４】
【補正対象書類名】明細書
【補正対象項目名】００１０
【補正方法】変更
【補正の内容】
【００１０】  構成１は、投入されたペットボトル９１を横向きで落下させる受入部と、前記受入部から落下するペットボトル９１の口部９１ｂが当接し且つ当該ペットボトル９１の本体部９１ａ側は非当接となる上端部を備え、当該ペットボトル９１の軸芯方向と上面視で交叉方向へ向けて下り傾斜で延設された第１傾斜路１と、前記受入部から落下するペットボトル９１の口部９１ｂが前記第１傾斜路１に当接する時に当該ペットボトル９１の本体部９１ａは当接しない高さに前記受入部直下の部位が位置するとともに前記第１傾斜路１の側縁１１から外れて落下するペットボトル９１が当接するべき位置に上端部が設けられ、前記第１傾斜路１と反対方向へ向けて下り傾斜で延設された第２傾斜路２とを有し、前記第２傾斜路２の上端部の縁２０は、当該上端部又はその縁２０に当接したペットボトル９１が、当該上端部の縁２０を越えて反第２傾斜路側へ跳ね返される位置に設けられていることを特徴とするペットボトル分別装置であるため、センサ類や動力を用いることなく、低コストで、空きペットボトルを空き缶（アルミ缶やスチール缶）から分別できる。また、分別を、第２傾斜路２の上端部又はその縁でペットボトルを跳ね返すことによって行うため、長期間・多数回使用しても、当初の分別精度を維持することができる。  構成２は、構成１に於いて、前記第１傾斜路１は、前記ペットボトル９１の軸芯方向と上面視で直交方向へ向けて下り傾斜で延設されていることを特徴とするペットボトル分別装置であるため、良好な性能を有する分別装置の具体的な構成を提供できる。  構成３は、投入されたペットボトル９１を横向きで落下させる受入部と、前記受入部から落下するペットボトル９１の口部９１ｂを傾斜面で受けることにより転動させるとともに本体部９１ａは受けずに落下させるように設けられた第１傾斜路１と、前記受入部から落下するペットボトル９１の口部９１ｂが前記第１傾斜路１に当接する時に当該ペットボトル９１の本体部９１ａは当接しない高さに前記受入部直下の部位が位置するとともに前記第１傾斜路１の傾斜面の反対方向へ下る傾斜面を成すように延設され、前記第１傾斜路１の側縁１１から外れて落下するペットボトル９１を、上記反対方向へ下る傾斜面の上端部又はその縁２０で跳ね返すことにより、該上端部の縁２０を越えて落下させる第２傾斜路２とを有することを特徴とするペットボトル分別装置であるため、構成１と同様の作用効果を奏することができる。  構成４は、構成１〜構成３の何れかに於いて、前記第１傾斜路１及び第２傾斜路２は、前記第１傾斜路１の側縁１１から外れて落下するペットボトル９１が、前記第２傾斜路２の上端部の縁２０に、当該ペットボトル９１の重心位置Ｇより底部側で当接するように設けられていることを特徴とするペットボトル分別装置であるため、ペットボトル９１を確実に前記第２傾斜路２の上端部の縁２０を越えて落下させることができ、より確実に構成１〜３の作用効果を奏することができる。  構成５は、構成１〜構成４の何れかに於いて、さらに、前記受入部は、所定の受入口から投入されたペットボトル９１を横向きとし、且つ、当該ペットボトル９１の口部０１ｂが前記第１傾斜路１へ落下するように規制す��規制手段３６（３６０，３６１〜３６３，３６５）を有することを特徴とするペットボトル分別装置であるため、ペットボトル９１の口部９１ｂを確実に第１傾斜路１の傾斜面上に落下させることができ、さらに、より確実に構成１〜４の作用効果を奏することができる。